(57)【要約】【課題】発光体から発光される光の解析が困難となる発光媒体を提供する。【解決手段】発光媒体１０は基材１１と、発光体１２とを備え、発光体１２は可視光又は赤外線が照射されたとき第１赤外線ａを発光する第１発光体１２Ａと、第２赤外線ｂを発光する第２発光体１２Ｂとを有する。第１赤外線ａの波長領域Ｗ１は、第２赤外線ｂの波長領域Ｗ２と重なり合い、かつ第１赤外線ａの波長領域Ｗ１は第２赤外線ｂの波長領域Ｗ２より狭い。
2016080374.tif 000002
【特許請求の範囲】
【請求項１】
基材と、
この基材上に設けられた発光体とを備え、
前記発光体は可視光又は赤外線又は紫外線が照射されたとき、第１波長領域をもつ第１赤外線を発光する第１発光体および第２波長領域をもつ第２赤外線を発光する第２発光体を含み、
前記第１発光体の第１赤外線の第１波長領域と、前記第２発光体の第２赤外線の第２波長領域は互いに重なり合い、かつ第１発光体の第１赤外線の第１波長領域は第２発光体の第２赤外線の第２波長領域より狭いことを特徴とする発光媒体。
【請求項２】
前記第１赤外線の第１波長領域のピーク波長は、前記第２赤外線の第２波長領域のピーク波長に一致又は近似することを特徴とする請求項１記載の発光媒体。
【請求項３】
基材と、
この基材上に設けられた発光体とを備え、
前記発光体は可視光又は紫外線が照射されたとき、第１波長領域をもつ第１紫外線を発光する第１発光体および第２波長領域をもつ第２紫外線を発光する第２発光体を含み、
前記第１発光体の第１紫外線の第１波長領域と、前記第２発光体の第２紫外線の第２波長領域は互いに重なり合い、かつ第１発光体の第１紫外線の第１波長領域は第２発光体の第２紫外線の第２波長領域より狭いことを特徴とする発光媒体。
【請求項４】
前記第１紫外線の第１波長領域のピーク波長は、前記第２紫外線の第２波長領域のピーク波長に一致又は近似することを特徴とする請求項３記載の発光媒体。
【請求項５】
前記第１発光体は第１の絵柄又は文字を含み、
前記第２発光体は第２の絵柄又は文字を含み、
前記第１発光体と前記第２発光体は、互いに重なり合うことを特徴とする請求項１乃至４のいずれか記載の発光媒体。
【請求項６】
前記第１発光体は第１の絵柄又は文字を含み、
前記第２発光体は第２の絵柄又は文字を含み、
前記第１発光体と前記第２発光体は、互いに分離していることを特徴とする請求項１乃至４のいずれか記載の発光媒体。
【請求項７】
前記第１発光体と前記第２発光体は互いに混在していることを特徴とする請求項１乃至４のいずれか記載の発光媒体。
【請求項８】
基材と、この基材上に設けられた発光体とを備え、前記発光体は可視光又は赤外線又は紫外線が照射されたとき、第１波長領域をもつ第１赤外線を発光する第１発光体および第２波長領域をもつ第２赤外線を発光する第２発光体を含み、前記第１発光体の第１赤外線の第１波長領域と、前記第２発光体の第２赤外線の第２波長領域は互いに重なり合い、かつ第１発光体の第１赤外線の第１波長領域は第２発光体の第２赤外線の第２波長領域より狭い発光媒体を準備する工程と、
前記発光媒体に可視光又は赤外線又は紫外線を照射部から照射して、前記第１発光体から第１波長領域をもつ第１赤外線を発光させ、前記第２発光体から第２波長領域をもつ第２赤外線を発光させる工程と、
前記第１赤外線の第１波長領域と前記第２赤外線の第２波長領域が重なる波長領域を読み取る第１赤外線検知部により前記第１赤外線および前記第２赤外線を読み取る工程と、  前記第２赤外線の波長領域のみを読み取る第２赤外線検知部により前記第２赤外線を読み取る工程とを備えたことを特徴とする発光媒体の読み取り方法。
【請求項９】
基材と、この基材上に設けられた発光体とを備え、前記発光体は可視光又は紫外線が照射されたとき、第１波長領域をもつ第１紫外線を発光する第１発光体および第２波長領域をもつ第２紫外線を発光する第２発光体を含み、前記第１発光体の第１紫外線の第１波長領域と、前記第２発光体の第２紫外線の第２波長領域は互いに重なり合い、かつ第１発光体の第１紫外線の第１波長領域は第２発光体の第２紫外線の第２波長領域より狭い発光媒体を準備する工程と、
前記発光媒体に可視光又は紫外線を照射して、前記第１発光体から第１波長領域をもつ第１紫外線を発光させ、前記第２発光体から第２波長領域をもつ第２紫外線を発光させる工程と、
前記第１紫外線の第１波長領域と前記第２紫外線の第２波長領域が異なる波長領域を読み取る第１紫外線検知部により前記第１紫外線および前記第２紫外線を読み取る工程と、  前記第２紫外線の波長領域のみを読み取る第２紫外線検知部により前記第２紫外線を読み取る工程とを備えたことを特徴とする発光媒体の読み取り方法。
【発明の詳細な説明】
【技術分野】
【０００１】
本発明は、赤外線、紫外線または可視光が照射されたときに異なる波長領域の２つの赤外線を発光するか、または異なる波長領域の２つの紫外線を発光する発光媒体、およびその読み取り方法に関する。
【背景技術】
【０００２】
金券やプリペイドカードを含む有価証券や、免許証を含む身分証明書など、偽造を防止することが必要とされる媒体において、セキュリティ性を高めるため、基材と、基材上に設けられた発光体とを備えた発光媒体が開発されている。このような発光媒体において、発光体に不可視光を照射することにより、発光体から可視光を発光させ、発光体から発光される異なる色の可視光を読み取ることにより媒体が汎用のカラープリンターなどにより容易に偽造されるのを防ぐことができる。【０００３】
また、近年では偽造防止効果をさらに高めるため、発光体から発光される光の解析がより困難となる発光媒体の開発が求められている。
【先行技術文献】
【特許文献】
【０００４】
【特許文献１】特許第５５４１５８号公報
【発明の概要】
【発明が解決しようとする課題】
【０００５】
本発明は、このような点を考慮してなされたものであり、発光体から発光される光の解析がより困難となる発光媒体および当該発光媒体の読み取り方法を提供することを目的とする。
【課題を解決するための手段】
【０００６】
本発明は、基材と、この基材上に設けられた発光体とを備え、前記発光体は可視光又は赤外線又は紫外線が照射されたとき、第１波長領域をもつ第１赤外線を発光する第１発光体および第２波長領域をもつ第２赤外線を発光する第２発光体を含み、前記第１発光体の第１赤外線の第１波長領域と、前記第２発光体の第２赤外線の第２波長領域は互いに重なり合い、かつ第１発光体の第１赤外線の第１波長領域は第２発光体の第２赤外線の第２波長領域より狭いことを特徴とする発光媒体である。【０００７】
本発明は、前記第１赤外線の第１波長領域のピーク波長は、前記第２赤外線の第２波長領域のピーク波長に一致又は近似することを特徴とする発光媒体である。【０００８】
本発明は、基材と、この基材上に設けられた発光体とを備え、前記発光体は可視光又は紫外線が照射されたとき、第１波長領域をもつ第１紫外線を発光する第１発光体および第２波長領域をもつ第２紫外線を発光する第２発光体を含み、前記第１発光体の第１紫外線の第１波長領域と、前記第２発光体の第２紫外線の第２波長領域は互いに重なり合い、かつ第１発光体の第１紫外線の第１波長領域は第２発光体の第２紫外線の第２波長領域より狭いことを特徴とする発光媒体である。【０００９】
本発明は、前記第１紫外線の第１波長領域のピーク波長は、前記第２紫外線の第２波長領域のピーク波長に一致又は近似することを特徴とする発光媒体である。【００１０】
本発明は、前記第１発光体は第１の絵柄又は文字を含み、前記第２発光体は第２の絵柄又は文字を含み、前記第１発光体と前記第２発光体は、互いに重なり合うことを特徴とする発光媒体である。【００１１】
本発明は、前記第１発光体は第１の絵柄又は文字を含み、前記第２発光体は第２の絵柄又は文字を含み、前記第１発光体と前記第２発光体は、互いに分離していることを特徴とする発光媒体である。【００１２】
本発明は、前記第１発光体と前記第２発光体は互いに混在していることを特徴とする発光媒体である。【００１３】
本発明は、基材と、この基材上に設けられた発光体とを備え、前記発光体は可視光又は赤外線又は紫外線が照射されたとき、第１波長領域をもつ第１赤外線を発光する第１発光体および第２波長領域をもつ第２赤外線を発光する第２発光体を含み、前記第１発光体の第１赤外線の第１波長領域と、前記第２発光体の第２赤外線の第２波長領域は互いに重なり合い、かつ第１発光体の第１赤外線の第１波長領域は第２発光体の第２赤外線の第２波長領域より狭い発光媒体を準備する工程と、前記発光媒体に可視光又は赤外線又は紫外線を照射部から照射して、前記第１発光体から第１波長領域をもつ第１赤外線を発光させ、前記第２発光体から第２波長領域をもつ第２赤外線を発光させる工程と、前記第１赤外線の第１波長領域と前記第２赤外線の第２波長領域が重なる波長領域を読み取る第１赤外線検知部により前記第１赤外線および前記第２赤外線を読み取る工程と、前記第２赤外線の波長領域のみを読み取る第２赤外線検知部により前記第２赤外線を読み取る工程とを備えたことを特徴とする発光媒体の読み取り方法である。【００１４】
本発明は、基材と、この基材上に設けられた発光体とを備え、前記発光体は可視光又は紫外線が照射されたとき、第１波長領域をもつ第１紫外線を発光する第１発光体および第２波長領域をもつ第２紫外線を発光する第２発光体を含み、前記第１発光体の第１紫外線の第１波長領域と、前記第２発光体の第２紫外線の第２波長領域は互いに重なり合い、かつ第１発光体の第１紫外線の第１波長領域は第２発光体の第２紫外線の第２波長領域より狭い発光媒体を準備する工程と、前記発光媒体に可視光又は紫外線を照射して、前記第１発光体から第１波長領域をもつ第１紫外線を発光させ、前記第２発光体から第２波長領域をもつ第２紫外線を発光させる工程と、前記第１紫外線の第１波長領域と前記第２紫外線の第２波長領域が異なる波長領域を読み取る第１紫外線検知部により前記第１紫外線および前記第２紫外線を読み取る工程と、前記第２紫外線の波長領域のみを読み取る第２紫外線検知部により前記第２紫外線を読み取る工程とを備えたことを特徴とする発光媒体の読み取り方法である。
【発明の効果】
【００１５】
以上のように本発明によれば、発光体から発光される光の解析が困難となる発光媒体、およびこの発光媒体の読み取り方法を提供することができる。
【図面の簡単な説明】
【００１６】
【図１】図１は、本発明の発光媒体の一例を示す平面図。
【図２】図２は、本発明の第１の実施の形態において、発光媒体の読み取り方法を示す側面図。
【図３】図３は、発光媒体の読み取り方法を示す側面図。
【図４】図４（ａ）（ｂ）は、本発明の第１の実施の形態における発光体の発光スペクトルを示す図。
【図５】図５は、本発明の第１の実施の形態における変形例を示す発光媒体を示す側面図。
【図６】図６は、本発明の変形例における発光媒体を示す平面図。
【図７】図７（ａ）（ｂ）は、本発明の変形例における発光媒体の読み取り方法を示す平面図。
【図８】図８は、本発明の第２の実施の形態における発光媒体を示す平面図。
【図９】図９は、本発明の第２の実施の形態における発光媒体を示す側面図。
【発明を実施するための形態】
【００１７】
＜第１の実施の形態＞
以下、図１乃至図４を参照して、本発明の第１の実施の形態について説明する。はじめに本発明の発光媒体からなる偽造防止媒体１０全体について説明する。
【００１８】
＜偽造防止媒体＞
図１は、本実施の形態による偽造防止媒体１０、例えば商品券（有価証券）の一例を示す図である。図１に示すように、偽造防止媒体１０は、基材１１と、基材１１上に形成された発光体１２とを備えている。本実施の形態においては、後述するように、発光体１２が、偽造防止媒体１０の真偽を判別するための真偽判別用画像として機能する。この発光体１２は、図１に示すように、可視光又は赤外線又は紫外線が照射されたとき、第１波長領域Ｗ１をもつ第１赤外線ａを発光する第１発光体１２Ａと、第２波長領域Ｗ２をもつ第２赤外線ｂを発光する第２発光体１２Ｂとを含む。
【００１９】
この場合、図４に示すように、第１発光体１２Ａから発光する第１赤外線ａの波長領域Ｗ１と、第２発光性体１２Ｂから発光する第２赤外線ｂの波長領域Ｗ２は互いに重なり合う。また第１赤外線ａの波長領域Ｗ１は第２赤外線ｂの波長領域Ｗ２より狭くなっている。さらに、第１赤外線ａの波長領域Ｗ１のピーク波長は、第２赤外線ｂの波長領域Ｗ２のピーク波長に一致又は近似している。
【００２０】
偽造防止媒体１０において用いられる基材１１の材料は特に限られることはなく、偽造防止媒体１０となる有価証券の種類に応じて適宜選択される。例えば、基材１１の材料として、優れた印刷適性および加工適性を有する白色のポリエチレンテレフタレートが用いられる。基材１１の厚みは、偽造防止媒体１０により構成される有価証券の種類に応じて適宜設定される。
【００２１】
発光体１２の大きさは特に限られることはなく、真偽判別のし易さや、求められる判別精度などに応じて適宜設定される。例えば、発光体１２がしめる領域の高さおよび幅は、それぞれ１〜２１０ｍｍおよび１〜３００ｍｍの範囲内となっている。
【００２２】
＜発光体＞
次に図１乃至図３を参照して、発光体１２についてより詳細に説明する。図１は、発光媒体１０を示す平面図であり、図２および３は発光媒体１０の読み取り方法を示す側面図である。
【００２３】
基材１１上に設けられた発光体１２は、上述のように可視光又は赤外線又は紫外線が照射されたとき、第１波長領域Ｗ１をもつ第１赤外線ａを発光する第１発光体１２Ａと、第２波長領域Ｗ２をもつ第２赤外線ｂを発光する第２発光体１２Ｂとを含む。
【００２４】
このような第１発光体１２Ａは、可視光又は赤外線又は紫外線が照射されたとき第１赤外線ａを発光するが可視光は発光しない無色の第１発光体用インキを含んでいる。またこのような第１発光体用インキ中に、第１発光体１２Ａの位置を容易に確認して赤外線検知領域を特定することができ、かつ第１発光体１２Ａを容易に作製するための製造上の便宜から所望量の顔料を混入させてもよい。この顔料は蛍光発光するため、目視で確認できる。
【００２５】
同様に第２発光体１２Ｂは可視光又は赤外線又は紫外線が照射されたとき第２赤外線ｂを発光するが可視光は発光しない無色の第２発光体用インキを含んでいる。またこのような第２発光体用インキ中に、第２発光体２Ｂの位置を容易に確認して赤外線検知領域を特定することができ、かつ第２発光体１２Ｂを容易に作製するための製造上の便宜から所望量の顔料を混入させてもよい。この顔料は蛍光発光するため、目視で確認できる。
【００２６】
このように第１発光体１２Ａを顔料を含む第１発光体用インキにより作製し、第２発光体１２Ｂを顔料を含む第２発光体用インキにより作製することにより、第１発光体１２Ａおよび第２発光体１２Ｂに可視光又は赤外線又は紫外線を照射したとき、第１発光体１２Ａから第１波長領域Ｗ１をもつ第１赤外線ａを発光させることができ、第２発光体１２Ｂから第２波長領域Ｗ２をもつ第２赤外線ｂを発光させることができる。
【００２７】
この場合、第１赤外線ａの第１波長領域Ｗ１は、第２赤外線ｂの第２波長領域Ｗ２と互いに重なり合うが、第１赤外線ａの第１波長領域Ｗ１は第２赤外線ｂの第２波長領域Ｗ２より狭くなっている。
【００２８】
また第１赤外線ａの第１波長領域Ｗ１のピーク波長は、第２赤外線ｂの第２波長領域Ｗ２のピーク波長に一致又は近似している。
【００２９】
ここで、第１赤外線ａの第１波長領域Ｗ１は、例えば９００ｎｍを中心として、２０ｎｍ程度の幅をもっている（図４（ａ）参照）。また第２赤外線ｂの第２波長領域Ｗ２は、例えば、９００ｎｍを中心として１００から２００ｎｍ程度の幅をもっている。
【００３０】
また本実施の形態において、「第１波長領域Ｗ１と第２波長領域Ｗ２のピーク波長が一致又は近似する」とは完全に一致する必要はなく、双方のピーク波長間に一定の幅、例えば狭い範囲の第１赤外線ａの第１波長領域Ｗ１の幅（２０ｎｍ）以下の幅をもっていてもよい。
【００３１】
ここで第１波長領域Ｗ１と第２波長領域Ｗ２のピーク波長間の幅が第１波長領域Ｗ１の幅より大きくなると、後述する蛍光媒体の読み取り作業を精度良く実行することができない。他方、第１波長領域Ｗ１と第２波長領域Ｗ２のピーク波長間の幅を完全に一致させることは、製造上困難である。
【００３２】
このため第１波長領域Ｗ１と第２波長領域Ｗ２のピーク波長間は、上述のような一定の幅をもっている。
【００３３】
上述のような構造をもつ発光体１２の第１発光体１２Ａおよび第２発光体１２Ｂは、基材１１上に互いに分離して形成されている（図１参照）。この場合、第１発光体１２Ａの絵柄と第２発光体１２Ｂの絵柄は分かれており重なってはいないが隙間なくぴったり合わさっていてもよい(毛抜き合わせ構造体)。
【００３４】
このように、第１発光体１２Ａの絵柄と第２発光体１２Ｂの絵柄が分かれており、重なってはいないが隙間なくぴったり合わさっている毛抜き合わせ構造体を製造する場合、端部同士が一部重なることもある。毛抜き合わせ構造体を製造する際、精度よく印刷できれば外観上、綺麗な印刷物を作製することができる。
【００３５】
図１において、第１発光体１２Ａは環状に配置された１２個の丸形形状を含み、第２発光体１２Ｂは１２個の第１発行体１２Ａの丸形形状の内部に設けられた４個の丸形形状を含む。このうち第１発光体１２Ａの１２個の丸形形状は第１の絵柄又は文字を構成し、第２発光体１２Ｂの４個の丸形形状は第２の絵柄又は文字を構成している。
【００３６】
次にこのような構成からなる本実施の形態の作用、すなわち発光媒体の読み取り方法について、図２および図３により説明する。
【００３７】
まず、基材１１と、基材１１上に設けられた第１発光体１２Ａおよび第２発光体１２Ｂを含む発光体１２とを有する発光媒体１０を準備する。
【００３８】
次にこの発光媒体１０に対して照射部２０から可視光又は赤外線又は紫外線を照射する。このとき第１発光体１２Ａから第１波長領域Ｗ１をもつ第１赤外線ａが発光する。同時に第２発光体１２Ｂから第２波長領域Ｗ２をもつ第２赤外線ｂが発光する。
【００３９】
次に照射部２０と一体に設けられた赤外線検知部２１により第１発光体１２Ａから発光された第１赤外線ａおよび第２発光体２１Ｂから発光された第２赤外線ｂを検知する。
【００４０】
この場合、まず赤外線検知部２１を第１赤外線ａの第１波長領域Ｗ１と、第２赤外線ｂの第２波長領域Ｗ２が重なる波長領域を読み取る第１赤外線検知部モードとする（図２参照）。この場合、赤外線検知部２１の検知波長Ｗ０は中心波長λ１をもち（図４（ａ）参照）、この赤外線検知部２１によって、第１発光体１２Ａから発光する第１赤外線ａおよび第２発光体１２Ｂから発光する第２赤外線ｂの双方を読み取ることができ、赤外線検知部２１により読み取られた画像はモニタ２３に表示される。
【００４１】
この際モニタ２３には、環状に並んだ１２個の丸形形状からなる第１発光体１２Ａの第１の絵柄又は文字と、第１発光体１２Ａの内部に配置された４個の丸形形状からなる第２発光体１２Ｂの第２の絵柄又は文字が表示される。
【００４２】
次に赤外線検知部２１を第２赤外線ｂの第２波長領域Ｗ２のみを読み取る第２赤外線検知部モードとする（図３参照）。この場合、赤外線検知部２１の検知波長Ｗ０は中心波長λ２をもち（図４（ａ）参照）、この赤外線検知部２１によって、第２発光体１２Ｂから発光する第２赤外線ｂのみを読み取ることができ、赤外線検知部２１により読み取られた画像はモニタ２３に表示される。
【００４３】
ところで、図４（ａ）において、第１発光体１２Ａと第２発光体１２Ｂの発光強度を合わせた場合、すなわち顔料自体の発光強度を同程度に設定して同程度の印刷濃度で印刷するか、または顔料自体の発光強度が異なる場合は印刷時に濃度を調整して発光強度を合わせることによって第１発光体１２Ａと第２発光体１２Ｂの発光強度を合わせた場合、第１発光体１２Ａと第２発光体１２Ｂは画像上の濃度が同じように観察されるため、偽造防止という点でより好ましい。
【００４４】
この際、モニタ２３には、第２発光体１２Ｂの４個の丸形形状からなる第２の絵柄又は文字のみが表示される。
【００４５】
以上のように本実施の形態によれば、発光媒体１０に対して照射部２０から可視光又は赤外線又は紫外線を照射し、赤外線検知部２１の検知部モードを検知波長Ｗ０が中心波長λ１をもつ第１赤外線検知部モードと、検知波長Ｗ０が中心波長λ２をもつ第２赤外線検知部モード間で切換えるだけで、第１発光体１２Ａおよび第２発光体１２Ｂの双方を読み取る状態から第２発光体１２Ｂのみを読み取る状態へ容易に切換えることができる。そして赤外線検知部２１の検知部モードを上述のように切換えた際、第１発光体１２Ａおよび第２発光体１２Ｂの双方を読み取る状態から第２発光体１２Ｂのみを読み取る状態へ切換わったときのみ、発光媒体１０を真正のものと判断することができる。
【００４６】
なお、図４（ａ）において、第１発光体１２Ａから発光される第１赤外線ａの波長領域Ｗ１と、第２発光体１２Ｂから発光される第２赤外線ｂの波長領域Ｗ２は互いに重なり合い、かつ第１発光線ａのピーク波長と第２赤外線ｂのピーク波長は一致又は近似する例を示したが、図４（ｂ）に示すように、第１赤外線ａの波長領域Ｗ１と第２赤外線ｂの波長領域Ｗ２は互いに重なり合っているが、第１赤外線ａのピーク波長と第２赤外線ｂのピーク波長が、例えば５０ｎｍ程度相異していてもよい。図４（ｂ）において、発光媒体１０に対して照射部２０から可視光又は赤外線又は紫外線を照射し、赤外線検知部２１の検知部モードを検知波長Ｗ０が中心波長λ１をもつ第１赤外線検知部モードに切り換えた場合、第１発光体１２Ａおよび第２発光体１２Ｂの双方を読み取ることができ、検知波長Ｗ０が中心波長λ２をもつ第２赤外線検知部モードに切換えた場合、第２発光体１２Ｂのみを読み取ることができる。
【００４７】
また、図４（ａ）（ｂ）において、逆に赤外線検知部２１の検知部モードを切換えて、第２発光体１２Ｂのみを読み取る状態から第１発光体１２Ａおよび第２発光体１２Ｂの双方を読み取る状態へ切換わったときに、発光媒体１０を真正のものと判断することができる。
【００４８】
更にまた、図４(ａ)において、発光体１２の第１発光体１２Ａから発光される第１赤外線ａの波長領域Ｗ１と、発光体１２の第２発光体１２Ｂから発光される第２赤外線ｂの波長領域Ｗ２は互いに重なり合い、かつ第１赤外線ａのピーク波長と第２赤外線ｂのピーク波長は一致又は近似している。このため、発光体１２から、波長領域が相互に大きく相違する２種類の光が発光される場合に比べると、発光体１２から第１赤外線ａおよび第２赤外線ｂの２種類の光が発光されていることを第３者が解析して見出す事は困難となっている。このため発光媒体１０を偽造することはよりむずかしくなっている。
【００４９】
次に本実施の形態の変形例について説明する。上記実施の形態において、基材１１上に設けられた発光体１２が、基材１１上で互いに分離している第１発光体１２Ａと第２発光体１２Ｂとを有する例を示したが、これに限らず、基材１１上にまず第１発光体１２Ａを形成し、この第１発光体１２Ａ上に第１発光体１２Ａより小さな形状の第２発光体１２Ｂを形成してもよい（図５参照）。
【００５０】
図５において、赤外線検知部２１を第１赤外線検知部モードとした場合、第２発光体１２Ｂの第２の絵柄又は文字と、この第２発光体１２Ｂの第２絵柄又は文字の周囲に位置する第１発光体１２Ａの第１絵柄又は文字が表示される。また赤外線検知部２１を第２赤外線検知部モードとした場合、第２発光体１２Ｂの第２の絵柄又は文字のみが表示される。
【００５１】
さらにまた基材１１上の発光体１２が環状に配置された１２個の丸形形状をもつ第１発光体１２Ａと、１２個の丸形形状内部に配置された４個の丸形形状をもつ第２発光体１２Ｂとを有する例を示したが、これに限らず発光体１２は第１の絵柄又は文字、例えば「Ａ」「Ｃ」を有する第１発光体１２Ａと、第２の絵柄又は文字、例えば「Ａ」「Ｃ」間に配置された「Ｂ」を有する第２発光体１２Ｂとを有してもよい（図６および図７（ａ）（ｂ）参照）。
【００５２】
この場合、赤外線検知部２１を第１赤外線表示部モードとした場合、第１発光体１２Ａの第１の絵柄又は文字、「Ａ」「Ｃ」と、第２発光体１２Ｂの第２の絵柄又は文字、「Ｂ」の双方がモニタ２３に表示される（図７（ａ）参照）。一方、赤外線検知部２１を第２赤外線表示部モードとした場合、第２発光体１２Ｂの第２絵柄又は文字、「Ｂ」のみがモニタ２３に表示される（図７（ｂ）参照）。この場合、絵柄としては、微細なマイクロ文字であっても良い。
【００５３】
＜第２の実施の形態＞
次に図８および図９により、本発明の第２の実施の形態について説明する。  
図８および図９に示す第２の実施の形態は、基材１１上の発光体１２が、第１発光体１２Ａと第２発光体１２Ｂを有するとともに、第１発光体１２Ａと第２発光体１２Ｂが互いに混在している点が異なるが、他の構成は図１乃至図４に示す第１の実施の形態と略同一である。
【００５４】
図８および図９において、発光体１２に可視光又は赤外線又は紫外線を照射したとき、第１発光体１２Ａから第１波長領域Ｗ１をもつ第１赤外線ａが発光され、第２発光体Ｂから第２波長領域Ｗ２をもつ第２赤外線ｂが発光される。
【００５５】
このような構成からなる発光体１２は、第１発光体用インキと第２発光体用インキを含むとともに、更に発光体１２の位置を確認することができ、かつ製造上の便宜から混入された顔料を含み、これら第１発光体用インキと、第２発光体用インキと、顔料は発光体１２中に混在している。この顔料は蛍光発光するため、目視で確認できる。
【００５６】
このような構成からなる発光媒体１０において、検知波長Ｗ０が中心波長λ１をもつ第１赤外線検知部モードにより、発光体１２の第１発光体１２Ａから発光された第１赤外線ａと第２発光体１２Ｂから発光された第２赤外線ｂの双方を検知することができる（図４（ａ）参照）。
【００５７】
また検知波長Ｗ０が中心波長λ２をもつ第２赤外線検知部モードにより、発光体１２の第２発光体１２Ｂから発光された第２赤外線ｂのみを検知することができる。
【００５８】
例えば、検知波長Ｗ０が中心波長λ１をもつ第１赤外線検知部モードと、検知波長Ｗ０が中心波長λ２をもつ第２赤外線検知部モードの双方を用いて発光媒体１０の読み取りを行うことにより、発光体１２が互いに混在された第１発光体１２Ａと第２発光体１２Ｂを含むことを容易に確認することができる。
【００５９】
＜他の実施の形態＞
上記各実施の形態において、発光媒体１０の発光体１２に対して可視光又は赤外線又は紫外線を照射することにより、発光体１２の第１発光体１２Ａから第１波長領域Ｗ１をもつ第１赤外線ａを発光させ、第２発光体１２Ｂから第２波長領域Ｗ２をもつ第２赤外線ｂを発光させる例を示したが、これに限らず発光体１２は発光体１２に対して可視光又は紫外線を照射することにより、第１波長領域を有する第１紫外線を発光する第１発光体１２Ａと、第２波長領域を有する第２紫外線を発光する第２発光体１２Ｂとを有していてもよい。この場合、第１発光体１２Ａからの第１波長領域と、第２発光体１２Ｂからの第２紫外線の第２波長領域は互いに重なり合う。また第１紫外線の第１波長領域は、第２紫外線の第２波長領域より狭くなっており、かつ第１紫外線の第１波長領域のピーク波長は、第２紫外線の第２波長領域のピーク波長に一致又は近似している。
【符号の説明】
【００６０】
１０    偽造防止媒体
１１    基材
１２    発光体
１２Ａ  第１発光体
１２Ｂ  第２発光体
２０    照射部
２１    赤外線検知部
２３    モニタ
ａ      第１赤外線
ｂ      第２赤外線
λ１    検知波長
λ２    検知波長
【図１】
2016080374.tif 000003
【図２】
2016080374.tif 000004
【図３】
2016080374.tif 000005
【図４】
2016080374.tif 000006
【図５】
2016080374.tif 000007
【図６】
2016080374.tif 000008
【図７】
2016080374.tif 000009
【図８】
2016080374.tif 000010
【図９】
2016080374.tif 000011
【国際調査報告】
2016080374.tif 000012
2016080374.tif 000013
2016080374.tif 000014
2016080374.tif 000015